(57)【特許請求の範囲】
【請求項１】
カメラ本体と、
該カメラ本体に外挿される略筒状の部材から成り、カメラ前面に設けられる撮影レンズの前面を覆う閉位置と、該撮影レンズの前面から退避する開位置との間でカメラ横方向にスライド移動可能なスライドカバーとを備え、
前記スライドカバーは、金属製の外カバーと、該外カバーの内側に挿入され固定されるプラスチック製の内カバーとを有し、前記内カバーは、前記外カバーの、前記スライドカバーの前記開位置から前記閉位置への前記カメラ本体に対する移動方向側の端面を覆い隠す被覆部を有していることを特徴とするスライドカバーを有するカメラ。
【請求項２】
カメラ本体と、
該カメラ本体に外挿され、カメラ前面に設けられる撮影レンズの前面を覆う閉位置と、該撮影レンズの前面から退避する開位置との間でカメラ横方向にスライド移動可能なスライドカバーとを備え、
前記スライドカバーは、金属製の略筒状の外カバーと、該外カバーの内部に挿通固定されるプラスチック製の内カバーとから成り、
前記外カバーには、前記カメラ本体に設けたガイド部材と係合して前記スライドカバーのスライドをガイドするガイド部材が設けられ、前記内カバーには、前記カメラ本体に設けた規制部材と当接して前記スライドカバーの開方向の移動を規制する規制部材が設けられていることを特徴とするスライドカバーを有するカメラ。
【請求項３】
プラスチック製の内カバーおよび金属製の外カバーから成るスライドカバーをカメラ本体に装着するにあたり、
前記内カバーに設けた開放制限部がカメラ本体の制限部に係合し得るように前記内カバーを弾性変形させながらカメラ本体に一端側から装着し、
その後、前記外カバーに設けたスライドガイド部をカメラ本体のガイド部に係合させながら前記外カバーを前記内カバーの外面に装着し、該外カバーを前記内カバーに固定することを特徴とするカメラの組立方法。
【発明の詳細な説明】
【０００１】
【発明の属する技術分野】
本発明は、撮影レンズの前面を覆う位置と撮影レンズの前面から退避する位置との間でスライド移動可能なスライドカバーを有するカメラに関する。
【０００２】
【従来の技術とその問題点】
この種のスライドカバーを有するカメラは従来より種々提案されているが、スライドカバーの外側を金属で構成した場合、その端面をどのように隠すかが問題となる。すなわち金属部材の切削面は荒く、この部分を露出させると見栄えが悪いので、プラスチック部材等で覆い隠す必要があるが、そのための部材を設けると部品点数の増加や組立作業効率の悪化が問題となる。また、外力によって被覆部がずれて金属カバーの端面が露出するという問題もある。
【０００３】
本発明の目的は、部品点数の増加や組立作業効率の悪化を極力抑えつつも金属カバーの端面を確実に覆い隠すことが可能なスライドカバーを有するカメラを提供することにある。
【０００４】
【課題を解決するための手段】
一実施の形態を示す図により説明すると、請求項１の発明に係るカメラは、カメラ本体１０と、カメラ本体１０に外挿される略筒状の部材から成り、カメラ前面に設けられる撮影レンズの前面を覆う閉位置と、撮影レンズの前面から退避する開位置との間でカメラ横方向にスライド移動可能なスライドカバー２０とを備える。
請求項１の発明において、スライドカバー２０は、金属製の外カバー２１と、外カバー２１の内側に挿入され固定されるプラスチック製の内カバー２２とを有し、内カバー２２は、外カバー２１の、前記スライドカバーの開位置から閉位置へのカメラ本体に対する移動方向側の端面を覆い隠す被覆部２２Ａを有し、これにより上記問題点を解決する。
請求項２の発明に係るカメラは、カメラ本体１０と、カメラ本体１０に外挿され、カメラ前面に設けられる撮影レンズの前面を覆う閉位置と、撮影レンズの前面から退避する開位置との間でカメラ横方向にスライド移動可能なスライドカバー２０とを備える。スライドカバー２０は、金属製の略筒状の外カバー２１と、外カバー２１の内部に挿通固定されるプラスチック製の内カバー２とから成り、外カバー２１には、カメラ本体に設けたガイド部材４０と係合してスライドカバー２０のスライドをガイドするガイド部材３０が設けられ、内カバー２２には、カメラ本体１０に設けた規制部材ＢＳ，ＢＳ１と当接してスライドカバー２０の開方向の移動を規制する規制部材２２ａ（実施の形態では４箇所）が設けられている。
請求項３の発明に係るカメラの組立方法は、プラスチック製の内カバーおよび金属製の外カバーから成るスライドカバーをカメラ本体に装着するにあたり、内カバーに設けた開放制限部がカメラ本体の制限部に係合し得るように内カバーを弾性変形させながらカメラ本体に一端側から装着し、その後、外カバーに設けたスライドガイド部をカメラ本体のガイド部に係合させながら外カバーを内カバーの外面に装着し、外カバーを内カバーに固定するものである。
【０００５】
なお、本発明の構成を説明する上記課題を解決するための手段の項では、本発明を分かり易くするために実施の形態の図を用いたが、これにより本発明が実施の形態に限定されるものではない。
【０００６】
【発明の実施の形態】
図１〜図１１により本発明の一実施の形態を説明する。
図１は本発明に係るカメラの分解斜視図である。カメラ本体１０の前面には撮影レンズが露出するレンズ窓１１Ａ，測距用窓１１Ｂ，ファインダ対物窓・ＡＦ補助光窓１１Ｃが設けられるとともに、上面にはレリーズボタン１２が、また背面には、図４に示すように表示装置１３や各種ボタン類１４がそれぞれ設けられる。カメラ本体１０の一端側には、カバー部材５０およびグリップ部材６０が取り付けられる。
【０００７】
スライドカバー２０は、金属製の筒状の外カバー２１と、プラスチックモールドにより成形された内カバー２２とから構成され、図２に示す閉位置と、図３に示す開位置との間でカメラ本体１０に対してカメラ横方向（Ａ−Ｂ方向）にスライド移動可能とされる。外カバー２１の前板部２１Ａには閃光器の発光窓２１ａが形成されるとともに、後板部２１Ｂの内面にはスライドガイド部材３０が取り付けられる。ガイド部材３０は、図４，図５，図７に示すように、スライドカバー２０のストローク量に応じた長さの上下一対の凸部３１を有し、これらの凸部３１と一体成形された取付部３２が後板部２１Ｂの内面に溶接により固着される。溶接部分はガイド部材３０の両端の２箇所（図４に溶接スポットを符号２０４で示す）であり、溶接箇所を少なくすることによりガイド部材３０の変形が防止でき平面性を確保することができる。平面性が悪いとガイド部材４０が凸部３１をくわえて移動する際に作動が悪くなるが、本実施の形態では平面性が確保できるためにスムーズに動作させることができる。
【０００８】
一方、図４，図６，図７に示すように、カメラ本体１０の背面中央部には、外カバー２１のガイド部材３０と係合するガイド部材４０が取り付けられている。ガイド部材４０は、金属板の上下部分を折り曲げて形成された上下一対の凹部４１を有し、この凹部４１にガイド部材３０の上下凸部３１が摺動可能に係合される。ガイド部材４０のカメラ横方向の長さは、ガイド部材３０の長さよりも十分短くされる。したがって、ガイド部材３０が多少変形してもスライドカバー２０をスムーズにスライドさせることができる。
【０００９】
内カバー２２の一端側に設けられた凹部２２ｂには、閃光器ＳＢ（図７）が取り付けられ、その照射光は外カバー２１の窓部２１ａを通って被写体に照射される。内カバー２２には、カメラ前面側および背面側の面に上下２本ずつの溝２２ａが形成され、これらの溝２２ａに挿通される４本のガイドピンＢＳ，ＢＳ１がカメラ本体１０に螺合される。溝２２ａの閉方向（Ａ方向）端面がガイドピンＢＳ，ＢＳ１の頭部に当接することにより、スライドカバー２０の開方向（Ｂ方向）の移動が規制される。また内カバー２２の閉方向端部には、外カバー２１の閉方向端面を覆う被覆部２２Ａが一体成形により形成されている。さらに図４にＣ，Ｄで示すように内カバー２２の上下面は、その閉方向端部から開方向端部にかけてカメラ本体の上下方向中心軸に近づくよう傾斜しており、また内カバー２２の前後面は、その閉方向端部から開方向端部にかけてカメラ本体の厚さ方向中心軸に近づくよう傾斜している。これにより内カバー２２の型成形を可能にしている。
【００１０】
本実施の形態のカメラは、スライドカバー２０を開位置および閉位置の双方で固定するためのクリック機構を有している。すなわち図１０に示すように、カメラ本体１０の背面には、カメラ上下方向中央部にクリックボール７１が配設され、このクリックボール７１は、ガイド部材４０の孔を貫通してばね５１によりカメラ後方に付勢されている。一方、スライドカバー側のガイド部材３０には、左右方向の２箇所に矩形の孔３０Ａ，３０Ｂが形成され、これらの孔３０Ａにクリックボール７１が落ち込むようになっている。また図３，図１１に示すように、カメラ本体１０の前面側には、スライドカバー２０の開方向制限を構成するガイドピンＢＳ１の頭部に、ばね８１を介してクリックボール７２が配設されている。一方、スライドカバー２０を構成する外カバー２１の前板２１Ａには、その内面上部に板部材９１が固着され、その左右２箇所に設けられた孔９１ａ，９１ｂにクリックボール７２が落ち込むようになっている。さらにカメラ本体１０の前面下部には、ばね性のある板部材７３が配置され、その一端側（図３における右側）が固着されるとともに、他端側には突部７３ａが形成されている。前板２１Ａの内面下部には、左右２箇所の孔９２ａ，９２ｂを有する板部材９２が固着され、各孔９２ａ，９２ｂに板部材７３の突部７３ａが係合可能とされている。
【００１１】
なお図３において、１０１は電源スイッチ、１０２は閃光器発光用のメインコンデンサ、１０３は閃光器の発光回路に電源や発光信号を供給するためのフレキシブルプリント基板である。電源スイッチ１０１は、スライドカバー２０が閉位置にあるときにはオフし、開位置にスライドされるとオンする。また図４において、２０１はファインダの視度調整レバー、２０２はズームレバー、２０３は突条にて構成されるスライドカバー受けである。スライドカバー受け２０３は、スライドされるスライドカバー２０の内面を受けることにより、カメラ背面の他の部分にカバー２０が当接して傷つけるのを防止する。
【００１２】
カメラ本体１０にスライドカバー２０を組み付ける際の手順を以下に説明する。
まず、スライドカバー２０の内カバー２２を単体の状態でカメラ本体１０のＢ方向端部に外挿する。その際、プラスチック製の内カバー２２を適宜弾性変形させることによりカメラ表面の凸部分（例えばガイド部材４０）を乗り越えさせるとともに、４本のガイドピンＢＳの頭部が内カバー２２の４本の溝２２ａに挿入されるようにする。ガイド部材４０は内カバー２２の窓部２２ｃ（図１）から露出させる。次いで、外カバー２１のガイド部材３０とカメラ本体１０のガイド部材４０との位置が合うように外カバー２１を位置決めし、ガイド部材３０の上下凸部３１をガイド部材４０の上下凹部４１に挿通させつつ外カバー２１を内カバー２２に被せてゆく。その際、外カバー２１の閉方向側の開口に内カバー２２が開方向から挿通されることになるが、内カバー２２の外面が閉方向端部から開方向端部にかけてカメラ本体の中心に近づくよう傾斜しているので、外カバー２１を内カバーに被せる作業が容易に行える。図８に示すように外カバー２１の閉方向端面を内カバー２２の被覆部２２Ａに挿入した後、外および内カバー２１，２２の開方向端面に形成した取付孔にビスＢＳ２（図９）を螺合して両カバーを固定する。
【００１３】
以上のように構成されたカメラにおいて、スライドカバー２０が図２の閉位置にあるときには、その閉方向端部がカメラ本体１０の当接部に当接して閉方向の移動が規制され、またカメラ本体１０側のガイド部材４０はカバー２０側のガイド部材３０の開方向端部に位置している。このとき、スライドカバー２０の前面部２１Ａにより撮影レンズやファインダ対物窓１１Ｂ，測距用窓１１Ｃが覆われるとともに、後面部２１Ｂにより液晶表示装置１３や各種操作ボタン１４が覆われる。また、クリックボール７１，７２は孔３０Ａ，９１ａにそれぞれ落ち込んでおり、板部材７３の突部７３ａは孔９２ａに係合されている。これら３つのクリック機構によりスライドカバー２０は閉位置で固定され、スライドカバー２０の各方向のガタが防止される。主にカメラ上下方向のガタはカメラ前面側の２つのクリック機構により防止され、前後方向のガタは３つのクリック機構により防止される。
【００１４】
スライドカバー２０に開方向の力を加えると、クリックボール７１，７２および板部材７３の突部７３ａが各ばね力に抗して退避し、ガイド部材３０がガイド部材４０内を摺動することによりスライドカバー２０の移動が案内され、スライドカバー２０は開方向に移動する。図３，図４に示すように、スライドカバー２０が開位置に達すると、内カバー２２の４本の溝２２ａの端部がカメラ本体１０の４つのガイドピンＢＳ，ＢＳ１に当接し、スライドカバー２０の開方向の移動が阻止される。このとき、クリックボール７１，７２は孔３０Ｂ，９１ｂにそれぞれ落ち込み、板部材７３の球状突部７３ａは孔９２ｂに係合される。したがって、スライドカバー２０は開位置で固定されるとともに、上述と同様にスライドカバー２０の各方向のガタが防止される。
【００１５】
スライドカバー２０が開位置にあるときには、撮影レンズ，ファインダ対物窓１１Ｃ，測距用窓１１Ｂ，液晶表示装置１３および各種操作ボタン１４が外部に露出し、撮影可能な状態となる。図４に示すようにガイド部材４０はガイド部材３０の閉方向端部に位置しているが、スライドカバー２０に覆われたままであり、外部に露出することはない。またガイド部材３０は、スライドカバー２０のストローク量に応じた長さを有しているが、スライドカバー２０の内面に設けられているためカバー２０の位置に拘わらず外部に露出することはない。したがって、ガイド部材３０，４０を設けたことによってカメラの見栄えを損なうことはない。さらに本体側のガイド部材４０は寸法を十分短くできるので、背面側の表示装置やスイッチ類の配置に何ら制約を与えることがない。
【００１６】
また本実施の形態では、ガイド部材３０，４０からなるガイド機構ををカメラ上下方向の中央部分に設けたので、１組のガイド機構で対応できる。これは、ガイド機構をカメラ背面側に配置したことによって可能な構成である。因みにカメラ前面側にガイド機構を設けると、前面中央に撮影レンズが位置するためにガイド機構を中央に配置することができず、撮影レンズを挟んだ上下２箇所にガイド機構を設ける必要がある（上下いずれかのみであるとガタが発生する）。中央部１箇所にのみガイド機構を設ける構成では、上下部分にガイド機構を設けずに済むから、カメラ上下部分の厚さを薄くできるという効果がある。本実施の形態のカメラも、図７から分かるようにスライドカバー２０はガイド機構が設けられる中央部分が最も厚く、上下に至るほど薄くなっている。一般にカメラ中央部分の厚さがある程度厚くても上下部分が薄ければカメラは薄く見えるものであり、これにより美観の向上が図れる。
【００１７】
スライドカバー２０にカメラ前後方向の力が加わると、カバー側ガイド部材３０の凸部３１が本体側ガイド部材４０の凹部４１の壁面に当接することにより、スライドカバー２０のカメラ本体前面または背面から浮き上がる方向の移動が規制され、これによりカバー２０の前後方向のガタが防止できる。また図７に示すように、カメラ本体１０を構成する板部材７５の上下端部には、スライドカバーの板部材９１，９２（クリック用の溝を有する）の突出部９１ｃ，９２ｃが当接可能とされ、これらの当接によってもスライドカバー２０の前方への浮き上がりを防止できる。
【００１８】
さらに、図８に示すように金属製の外カバー２１の閉方向端面が内カバー２２の被覆部２２Ａに覆い隠されているので、見場が悪化することがない。特に被覆部２２Ａに形成された凹部に外カバー端部が挿通される構成なので、単にプラスチック部材を外カバー端面に当てる構成と異なり、矢印方向に力が加わっても被覆部２２Ａが剥がれてカバー端部が露出することがない。また被覆部２２Ａがスライドカバー２０の開方向制限を構成する内カバー２２に形成されているので、部品点数の低減および組立作業効率の向上が図れる。
【００１９】
以上の実施の形態において、溝２２ａおよびガイドピンＢＳ，ＢＳ１が規制機構を、クリックボール７１，７２，球状突部７３ａ，孔３０Ａ，３０Ｂ，９１Ａ，９１Ｂ，９２Ａ，９２がクリック機構をそれぞれ構成する。
【００２０】
なお外カバー２１を金属としたが、金属以外の材料（例えばプラスチック）で構成してもよい。
【００２１】
【発明の効果】
請求項１の発明によれば、スライドカバーを金属製の外カバーとプラスチック製の内カバーとから構成し、内カバーに外カバーの閉方向側の端面を覆い隠す被覆部を設けたので、専用の被覆部材を設ける必要がなく、部品点数の低減および組立作業効率の向上が図れる。特に被覆部に形成された凹部に外カバー端部を挿通する構成とすれば、単にプラスチック部材を外カバー端面に当てる構成と異なり、矢印方向に力が加わっても被覆部が剥がれてカバー端部が露出することがない。
請求項２の発明によれば、スライドカバーの移動を案内するガイド機構をカメラ上下方向の略中央部に設けるとともに、スライドカバーの開方向への移動を規制する規制機構をガイド機構の上方および下方に設けたので、規制機構をカメラ上下方向の中央部のみに設ける場合と異なり、開位置にあるスライドカバーが傾いたりガタが発生することがない。
請求項３の発明によれば、スライドカバーを閉位置および開位置で固定するクリック機構を、カメラ本体前面の撮影レンズを挟む上下２箇所に設けるとともに、カメラ背面側の中央の１箇所に設けたので、閉位置または開位置からスライドカバーが不所望に移動することがなく、また３つのクリック機構によりスライドカバーの各方向のガタを防止できる。クリック機構の少なくとも１つをスライドカバーの規制機構に設ければ、クリック機構の配置位置を別に確保する必要がなく、スペース効率がよい。
請求項５の発明によれば、スライドカバーを金属製の略筒状の外カバーとプラスチック製の内カバーとから構成し、外カバー２１にスライドカバーガイド部材を設けるとともに、内カバーにスライドカバーの開方向制限を設けたので、内カバーを弾性変形させながらカメラ本体に装着し、その後に外カバーを内カバーに被せることにより組み立て作業効率の向上が図れる。
請求項６の発明方法によれば、内カバーに設けた開放制限部がカメラ本体の制限部に係合し得るように内カバーを弾性変形させながらカメラ本体に一端側から装着し、その後、外カバーに設けたスライドガイド部をカメラ本体のガイド部に係合させながら外カバーを内カバーの外面に装着し、外カバーを内カバーに固定するようにしたので、請求項５と同様に組み立て作業効率の向上が図れる。
【図面の簡単な説明】
【図１】本発明の一実施の形態に係るカメラの分解斜視図。
【図２】上記カメラの正面図であり、スライドカバーが閉位置にある状態を示す。
【図３】図２と同様の図であり、スライドカバーが開位置にある状態を示す。
【図４】カメラの背面図であり、スライドカバーが開位置にある状態を示す。
【図５】スライドカバーの閉方向端部を示す斜視図。
【図６】カメラ本体の一端側を示す斜視図。
【図７】カメラの側面断面図。
【図８】スライドカバーの閉方向端部を示す断面図。
【図９】スライドカバーのカメラ本体へを装着方法を説明する斜視図。
【図１０】クリック機構の詳細を示す断面図。
【図１１】他のクリック機構の詳細を示す断面図。
【符号の説明】
１０  カメラ本体
２０  スライドカバー
２１  外カバー
２１Ａ  前板
２１Ｂ  後板
２２  内カバー
２２Ａ  被覆部
２２ａ  溝
３０  カバー側ガイド部材
３０Ａ，３０Ｂ  孔
３１  凸部
４０  本体側ガイド部材
４１  凹部
７１，７２  クリックボール
７３  板部材
８１  ばね
９１，９２  板部材
９１ａ，９１ｂ，９２ａ，９２ｂ  孔
ＢＳ，ＢＳ１  ビス
【図１】
0004196032.tif 000002
【図２】
0004196032.tif 000003
【図３】
0004196032.tif 000004
【図４】
0004196032.tif 000005
【図５】
0004196032.tif 000006
【図６】
0004196032.tif 000007
【図７】
0004196032.tif 000008
【図８】
0004196032.tif 000009
【図９】
0004196032.tif 000010
【図１０】
0004196032.tif 000011
【図１１】
0004196032.tif 000012